(57)【要約】      （修正有）【課題】構造が簡単で、厚さが更に薄くなり、コストが更に低くなり、軽くて短い電気製品に適用されるのみならず、パネル透過率を効率的に向上でき、レインボー現象の発生を減少でき、ユーザーの使用体験を大幅に向上できる埋め込み式タッチ制御パネルを提供する。【解決手段】ＯＬＥＤ板は、下タッチ制御センサーアレイを有する下タッチ制御センサー層と、上タッチ制御センサーアレイを有する上タッチ制御センサー層とを備える。下タッチ制御センサーアレイの配列方向と、上タッチ制御センサーアレイの配列方向とは、垂直となっており、下タッチ制御センサーアレイと上タッチ制御センサーアレイでタッチ信号を誘導するための相互容量タッチ誘導ユニットを形成する。タッチ制御信号の誘導素子とＯＬＥＤ板と統合でき、埋め込め式のタッチ制御パネルを形成できる。【選択図】図３
2015225649.tif 000002
【特許請求の範囲】
【請求項１】
基板と、
前記基板の上に位置するＴＦＴバックプレーンと、
前記ＴＦＴバックプレーンの上に位置し、下電極層、上電極層及び前記下電極層と前記上電極層の間にあるＯＬＥＤ層を有するＯＬＥＤ板と、を備える埋め込み式アクティブマトリクス有機発光ダイオードのタッチ制御パネルであって、
その下タッチ制御センサーが前記下電極層における各々の下電極の間に形成される下隙間通路にパターン化される下タッチ制御センサーアレイを有する下タッチ制御センサー層と、
その上タッチ制御センサーが前記上電極層における各々の上電極の間に形成される上隙間通路にパターン化される上タッチ制御センサーアレイを有する上タッチ制御センサー層とを更に備え、
前記下タッチ制御センサーアレイの配列方向と、前記上タッチ制御センサーアレイの配列方向とは、垂直となっており、前記下タッチ制御センサーアレイと前記上タッチ制御センサーアレイでタッチ信号を誘導するための相互容量タッチ誘導ユニットを形成し、且つ前記下タッチ制御センサーアレイと前記上タッチ制御センサーアレイが何れもタッチ制御信号回路に接続される、ことを特徴とする埋め込み式アクティブマトリクス有機発光ダイオードのタッチ制御パネル。
【請求項２】
前記下電極層は、ＯＬＥＤ板陽極層であり、前記上電極層は、ＯＬＥＤ板陰極層である、請求項１に記載の埋め込み式アクティブマトリクス有機発光ダイオードのタッチ制御パネル。
【請求項３】
前記下電極層における各々の下電極の間に形成される下隙間通路は、第１の方向であり、前記下タッチ制御センサーアレイは、第１の方向の下隙間通路に設けられる走査信号センサーアレイであり、前記上電極層における各々の上電極の間に形成される上隙間通路は、前記第１の方向と垂直な第２の方向であり、前記上タッチ制御センサーアレイは、第２の方向の上隙間通路に設けられる駆動信号センサーアレイである、請求項２に記載の埋め込み式アクティブマトリクス有機発光ダイオードのタッチ制御パネル。
【請求項４】
前記下電極層における各々の下電極の間に形成される下隙間通路は、第２の方向であり、前記下タッチ制御センサーアレイは、第２の方向の下隙間通路に設けられる駆動信号センサーアレイであり、前記上電極層における各々の上電極の間に形成される上隙間通路は、前記第２の方向と垂直な第１の方向であり、前記上タッチ制御センサーアレイは、第１の方向の上隙間通路に設けられる走査信号センサーアレイである、請求項２に記載の埋め込み式アクティブマトリクス有機発光ダイオードのタッチ制御パネル。
【請求項５】
前記タッチ制御信号回路は、前記ＴＦＴバックプレーンに設置される、請求項１乃至４のうち何れか一項に記載の埋め込み式アクティブマトリクス有機発光ダイオードのタッチ制御パネル。
【発明の詳細な説明】
【技術分野】
【０００１】
本発明は、表示スクリーンの技術分野に関り、特に発光ダイオードの表示スクリーンの技術分野に関り、具体的に埋め込み式アクティブマトリクス有機発光ダイオードのタッチ制御パネルに関る。
【背景技術】
【０００２】
従来の電気製品においては、タッチ制御機能を有する表示パネルが各種類のスマート手持ち装置に搭載されるので、電気製品が備える軽くて短い要求が同様にタッチ制御パネルに移行される。生産会社の開発により、アウトセル・タッチ制御パネル（Ｏｕｔ−Ｃｅｌｌ  Ｔｏｕｃｈ）、オンセル・タッチ制御パネル（Ｏｎ−Ｃｅｌｌ  Ｔｏｕｃｈ）、ワンガラス・タッチ制御（Ｏｎｅ  Ｇｌａｓｓ  Ｓｏｌｕｔｉｏｎ，ＯＧＳ）等の解決方案が現れている。
【０００３】
そのうち、オンセル・タッチ制御パネル（Ｏｎ−Ｃｅｌｌ  Ｔｏｕｃｈ）の常用構造は、図１に示されている。オンセルは、上カバー板ガラスの上にタッチ制御センサー及び相関のフィルム材料を貼り付けるために、終に最上方に更に一枚の保護ガラスを貼り付けるものである。その欠点は、パネルの透過率が低くて（Ｌｏｗ  ｔｒａｎｓｍｉｔｔａｎｃｅ）、レインボー現象（Ｍｏｉｒｅ）を発生し易く、且つパネルが厚く、コストが高くなっているものである。
【０００４】
従来技術に常用のワンガラスタッチ制御（ＯＧＳ）パネル構造は、図２に示されている。ＯＧＳとは、上カバー板ガラスとセンサーを単一のガラス状態として統合してパネル（Ｐａｎｅｌ  ｃｅｌｌ）の上に貼り付けるために、ガラスの数を二枚に下げたものであるので、パネル全体の厚さがオンセル・タッチ制御パネルよりもある程度低減し、生産コストが減少するが、従来技術におけるワンガラス・タッチ制御パネル構造においても、同様に、パネル透過率が低くて、レインボー現象を発生し易いという問題がある。
【０００５】
このため、どのように、パネル厚さを低減してコストを低減すると共に、軽くて短い電子製品に適用される同時に、パネル透過率を向上でき、レインボー現象の発生を低減できると共に、終にユーザーの使用体験を向上できるタッチ制御パネルを提供するかについては、本分野において解決が必要となるものである。
【発明の概要】
【発明が解決しようとする課題】
【０００６】
本発明は、上記の従来技術における欠点を解決するためのものであり、その目的が、パネル透過率を効率的に向上でき、レインボー現象の発生を減少できる同時に、その構造が簡単で、厚さが更に薄く、コストが更に低く、軽くて短い電気製品に適用されると共に、ユーザーの使用体験を大幅に向上できる、埋め込め式のタッチ制御パネルを提供することである。
【課題を解決するための手段】
【０００７】
上記の目的を実現するために、本発明に係る埋め込み式アクティブマトリクス有機発光ダイオードのタッチ制御パネルは、基板と、前記基板の上に位置するＴＦＴバックプレーンと、前記ＴＦＴバックプレーンの上に位置し、下電極層、上電極層及び前記下電極層と前記上電極層の間にあるＯＬＥＤ層を有するＯＬＥＤ板とを備える。該埋め込み式アクティブマトリクス有機発光ダイオードのタッチ制御パネルは、その下タッチ制御センサーが前記下電極層における各々の下電極の間に形成される下隙間通路にパターン化される下タッチ制御センサーアレイを有する下タッチ制御センサー層と、その上タッチ制御センサーが前記上電極層における各々の上電極の間に形成される上隙間通路にパターン化される上タッチ制御センサーアレイを有する上タッチ制御センサー層とを更に備えるものであり、前記下タッチ制御センサーアレイの配列方向と、前記上タッチ制御センサーアレイの配列方向とは、垂直となっており、前記下タッチ制御センサーアレイと前記上タッチ制御センサーアレイでタッチ信号を誘導するための相互容量タッチ誘導ユニットを形成し、且つ前記下タッチ制御センサーアレイと前記上タッチ制御センサーアレイが何れもタッチ制御信号回路に接続される。
【０００８】
該埋め込み式アクティブマトリクス有機発光ダイオードのタッチ制御パネルにおいては、前記下電極層は、ＯＬＥＤ板陽極層であり、前記上電極層は、ＯＬＥＤ板陰極層である。
【０００９】
該埋め込み式アクティブマトリクス有機発光ダイオードのタッチ制御パネルにおいては、前記下電極層における各々の下電極の間に形成される下隙間通路は、第１の方向であり、前記下タッチ制御センサーアレイは、第１の方向の下隙間通路に設けられる走査信号センサーアレイであり、前記上電極層における各々の上電極の間に形成される上隙間通路は、前記第１の方向と垂直な第２の方向であり、前記上タッチ制御センサーアレイは、第２の方向の上隙間通路に設けられる駆動信号センサーアレイである。
【００１０】
該埋め込み式アクティブマトリクス有機発光ダイオードのタッチ制御パネルにおいては、前記下電極層における各々の下電極の間に形成される下隙間通路は、第２の方向であり、前記下タッチ制御センサーアレイは、第２の方向の下隙間通路に設けられる走査信号センサーアレイであり、前記上電極層における各々の上電極の間に形成される上隙間通路は、前記第２の方向と垂直な第１の方向であり、前記上タッチ制御センサーアレイは、第１の方向の上隙間通路に設けられる走査信号センサーアレイである。
【００１１】
該埋め込み式アクティブマトリクス有機発光ダイオードのタッチ制御パネルにおいては、前記タッチ制御信号回路は、前記ＴＦＴバックプレーンに設置される。本発明に係る埋め込み式アクティブマトリクス有機発光ダイオードのタッチ制御パネルによれば、そのＯＬＥＤ板が、その下タッチ制御センサーが前記下電極層における各々の下電極の間に形成される下隙間通路にパターン化される下タッチ制御センサーアレイを有する下タッチ制御センサー層と、その上タッチ制御センサーが前記上電極層における各々の上電極の間に形成される上隙間通路にパターン化される上タッチ制御センサーアレイを有する上タッチ制御センサー層とを更に備えるものであり、前記下タッチ制御センサーアレイの配列方向と、前記上タッチ制御センサーアレイの配列方向とは、垂直となっており、前記下タッチ制御センサーアレイと前記上タッチ制御センサーアレイでタッチ信号を誘導するための相互容量タッチ誘導ユニットを形成する。よって、タッチ制御信号の誘導素子とＯＬＥＤ板と統合でき、埋め込め式（Ｉｎ−Ｃｅｌｌ  Ｔｏｕｃｈ）のタッチ制御パネルを形成できる。
【発明の効果】
【００１２】
本発明に係る該埋め込み式アクティブマトリクス有機発光ダイオードのタッチ制御パネルは、その構造が簡単で、厚さが更に薄くなり、コストが更に低くなり、軽くて短い電気製品に適用されるのみならず、パネル透過率を効率的に向上でき、レインボー現象の発生を減少でき、ユーザーの使用体験を大幅に向上できる。
【図面の簡単な説明】
【００１３】
【図１】従来技術におけるアウトセル・タッチ制御パネルの構造概略図である。
【図２】従来技術におけるワンガラス・タッチ制御パネルの構造概略図である。
【図３】本発明に係る埋め込み式アクティブマトリクス有機発光ダイオードのタッチ制御パネルの構造概略図である。
【図４】本発明に係る埋め込み式アクティブマトリクス有機発光ダイオードのタッチ制御パネルの詳細断面構造概略図である。
【図５】本発明に係る埋め込み式アクティブマトリクス有機発光ダイオードのタッチ制御パネルの一実施形態における上下電極層のＸＹ軸配列方式の概略図である。
【図６】本発明に係る埋め込み式アクティブマトリクス有機発光ダイオードのタッチ制御パネルの一実施形態における上下電極のＸＹ軸配列方式の概略図である。
【発明を実施するための形態】
【００１４】
本発明の技術内容を更に明確にするために、以下の実施例で詳細な説明を行う。
【実施例】
【００１５】
図３に示すように、本発明に係る埋め込み式アクティブマトリクス有機発光ダイオードのタッチ制御パネルの構造概略図である。
【００１６】
実施例において、該埋め込み式アクティブマトリクス有機発光ダイオードのタッチ制御パネルは、基板と、前記基板の上に位置するＴＦＴバックプレーンと、前記ＴＦＴバックプレーンの上に位置し、下電極層、上電極層及び前記下電極層と上電極層の間にあるＯＬＥＤ層を有するＯＬＥＤ板とを備える。図３及び図４に示すように、該埋め込み式アクティブマトリクス有機発光ダイオードのタッチ制御パネルは、その下タッチ制御センサーが前記下電極層における各々の下電極の間に形成される下隙間通路にパターン化される下タッチ制御センサーアレイを有する下タッチ制御センサー層と、その上タッチ制御センサーが前記上電極層における各々の上電極の間に形成される上隙間通路にパターン化される上タッチ制御センサーアレイを有する上タッチ制御センサー層とを更に備えるものであり、前記下タッチ制御センサーアレイの配列方向と、前記上タッチ制御センサーアレイの配列方向とは、垂直となっており、前記下タッチ制御センサーアレイと前記上タッチ制御センサーアレイでタッチ信号を誘導するための相互容量タッチ誘導ユニットを形成し、且つ前記下タッチ制御センサーアレイと前記上タッチ制御センサーアレイが何れもタッチ制御信号回路に接続される。前記タッチ制御信号回路は、前記ＴＦＴバックプレーンに設置される。
【００１７】
好適な実施形態において、前記下電極層は、ＯＬＥＤ板陽極層であり、前記上電極層は、ＯＬＥＤ板陰極層である。
【００１８】
更に好適な実施形態において、前記下電極層における各々の下電極の間に形成される下隙間通路は、第１の方向であり、前記下タッチ制御センサーアレイは、第１の方向の下隙間通路に設けられる走査信号センサーアレイであり、前記上電極層における各々の上電極の間に形成される上隙間通路は、前記第１の方向と垂直な第２の方向であり、前記上タッチ制御センサーアレイは、第２の方向の上隙間通路に設けられる駆動信号センサーアレイである。
【００１９】
又は、前記下電極層における各々の下電極の間に形成される下隙間通路は、第２の方向であり、前記下タッチ制御センサーアレイは、第２の方向の下隙間通路に設けられる駆動信号センサーアレイであり、前記上電極層における各々の上電極の間に形成される上隙間通路は、前記第２の方向と垂直な第１の方向であり、前記上タッチ制御センサーアレイは、第１の方向の上隙間通路に設けられる走査信号センサーアレイである。
【００２０】
本発明の応用において、本発明に係る該埋め込み式アクティブマトリクス有機発光ダイオードのタッチ制御パネルは、その設計思想が、タッチ制御センサーをＴＦＴプロセス内に統合する投射式電気容量タッチ制御機制である。従来のＴＦＴプロセスにより、ＸＹ軸方向の信号走査を達成でき、タッチ制御センサーの機能を実現できる。よって、コストの低減を達成でき、貫通程度を向上できると共にレインボー現象の発生を低減できる。
【００２１】
具体的な製造時に、まず、ＯＬＥＤ陽極をパターン化し、Ｘ（又はＹ）軸方向における走査信号を製造し、その後、ＯＬＥＤの陰極をパターン化し、Ｙ（又はＸ）軸方向における駆動信号を製造することにより、埋め込み式のタッチ誘導を形成する。
【００２２】
図５と図６に示すように、実際に図面を設計する方法としては、陽極の余る位置を走査信号に設計すると共に、元々表面の全体が覆われた陰極を相関の駆動信号にパターン化し、相互に交差して配布される陽極走査信号と陰極駆動信号でタッチ制御誘導素子として相互容量（ｍｕｔｕａｌ  ｃａｐａｃｉｔａｎｃｅ）式のタッチ制御走査機制を形成するものである。
【００２３】
具体的な陽極及び陰極の配列は、図５又は図６に示す何れかの方法を採用し、双層構造のモードに応じてＸＹ軸の交差する方式で配列されるものであってもよい。電極外部の周囲には、導線でＸＹ軸方向の電極をそれぞれ制御回路の誘導通路内に電気的に接続する。実際の使用時には、何れかの導電物体が近付かないと、各々のタッチ制御電極の間に、固定された結合容量が一個あり、この際に、電極と電極の間の電界分布が固定され、制御回路が各々の誘導通路を介してオンラインにおける各々のＸＹ軸の電極容量値を記憶する。人体の指がパネルに接触すると、元々各々の電極に固定分布された電界が電力線の一部で指の皮膚に接続して変化を発生し、接触点に新たな容量を形成することとなり、接触点の容量値のトータルを変更し、制御端が容量値の変化を感じ、接点を位置決めし、タッチ制御機能を実現する。
【００２４】
本発明に係る埋め込み式アクティブマトリクス有機発光ダイオードのタッチ制御パネルによれば、そのＯＬＥＤ板が、その下タッチ制御センサーが前記下電極層における各々の下電極の間に形成される下隙間通路にパターン化される下タッチ制御センサーアレイを有する下タッチ制御センサー層と、その上タッチ制御センサーが前記上電極層における各々の上電極の間に形成される上隙間通路にパターン化される上タッチ制御センサーアレイを有する上タッチ制御センサー層とを更に備えるものであり、前記下タッチ制御センサーアレイの配列方向と、前記上タッチ制御センサーアレイの配列方向とは、垂直となっており、前記下タッチ制御センサーアレイと前記上タッチ制御センサーアレイでタッチ信号を誘導するための相互容量タッチ誘導ユニットを形成する。よって、タッチ制御信号の誘導素子とＯＬＥＤ板と統合でき、埋め込め式（Ｉｎ−Ｃｅｌｌ  Ｔｏｕｃｈ）のタッチ制御パネルを形成できる。本発明に係る該埋め込み式アクティブマトリクス有機発光ダイオードのタッチ制御パネルは、その構造が簡単で、厚さが更に薄くなり、コストが更に低くなり、軽くて短い電気製品に適用されるのみならず、パネル透過率を効率的に向上でき、レインボー現象の発生を減少でき、ユーザーの使用体験を大幅に向上できる。
【００２５】
この明細書において、本発明は、その特定の実施例を参照して説明した。しかし、本発明の精神と範囲を脱出しない領域で各種類の補正と変更を行うことが可能である。このため、明細書と図面は、限定的なものでなく、説明的なものと理解されるべきである。
【図１】
2015225649.tif 000003
【図２】
2015225649.tif 000004
【図３】
2015225649.tif 000005
【図４】
2015225649.tif 000006
【図５】
2015225649.tif 000007
【図６】
2015225649.tif 000008